(57)【特許請求の範囲】
【請求項１】
冷温水を生成して供給する熱源機と、この熱源機の生成する冷温水の水温を設定する熱源機操作器と、複数の部屋のそれぞれに設置されて上記熱源機と配管接続され供給される上記冷温水により空気調和動作する複数台の室内機と、上記室内機にそれぞれ配置されて少なくとも冷房及び暖房の空気調和モードが選択可能に構成され、操作されて上記熱源機に対して上記冷温水の供給を要求する室内機操作器と、上記室内機にそれぞれ配置されて供給される上記冷温水の温度を検出する温度検出器と、上記室内機にそれぞれ配置されて選択された上記空気調和モードに基づいて上記熱源機に対して上記冷温水供給の要求有無を伝達し、上記温度検出器の検出値が選択された上記空気調和モードに適しているかを判断して制御動作する室内機制御器と、上記熱源機に対し、上記室内機制御器からの上記冷温水供給の要求により上記冷温水供給を制御し、かつ上記熱源機の生成する冷温水温度が上記熱源機操作器によって設定された水温となるように上記熱源機の出力を制御する熱源機制御器とを備えた多室空気調和装置。
【請求項２】
供給された冷温水の温度が所要の低温よりも高温であるとき、上記冷温水の温度が所要の高温よりも低温であるときに室内機の送風機の出力を低下させる機能を有する室内機制御器としたことを特徴とする請求項１記載の多室空気調和装置。
【発明の詳細な説明】
【０００１】
【発明の属する技術分野】
この発明は、複数の部屋のそれぞれに設けられた室内機に、熱源機によって冷温水を供給して空気調和する多室空気調和装置に関する。
【０００２】
【従来の技術】
図７及び図８は、例えば特開平５−６０３６８号公報に示された従来の多室空気調和装置を示す図で、図７は装置の構成を概念的に示す空気調和回路図、図８は図７の装置の信号回路図である。図において、１は熱源機で、熱源機制御器２、熱源機制御器２により制御される加熱・冷却装置３、加熱・冷却装置３に対向して配置された熱交換器４及び熱交換器４に接続されたポンプ５によって構成されている。
【０００３】
６は熱源機制御器２に接続されたリモートコントローラからなる熱源機操作器、７は複数の部屋のそれぞれに設置されたファンコイルユニットからなる室内機で、熱交換器８、熱交換器８に接続された熱動弁９、熱交換器８に対向して配置された送風機１０及び熱動弁９と送風機１０に接続された室内機制御器１１によって構成されている。１２は室内機制御器１１に接続されたリモートコントローラからなる室内機操作器である。
【０００４】
１３は熱源機１のポンプ５とそれぞれの室内機７の熱動弁９を並列に接続する往管路、１４は熱源機１の熱交換器４とそれぞれの室内機７の熱交換器８を並列に接続する帰管路、１５は熱源機１と室内機７の間に配線された室内機信号線、１６は熱源機１と熱源機操作器６の間に配線された熱源機信号線である。
【０００５】
従来の多室空気調和装置は上記のように構成され、部屋を空気調和する場合にその部屋の室内機操作器１２を使用者が操作し冷房、暖房等の空気調和モードを選択して指令する。これにより、室内機制御器１１を介してその指令が室内機信号線１５を経て熱源機１に伝達されると共に、熱動弁９が開き送風機１０が付勢されて空気調和作用が開始される。また、熱源機１は室内機７側からの指令によってポンプ５が動作し、加熱・冷却装置３が制御されて指令に対応した温度の冷温水、すなわち冷房時等には低温の水、暖房時等には高温の水からなる冷温水が室内機７に供給される。
【０００６】
【発明が解決しようとする課題】
上記のような従来の多室空気調和装置では、熱源機１からは冷水又は温水が供給されるので、室内機７においてその温度の冷温水を使用した空気調和作用しか得られない。すなわち、室内機操作器１２によって冷房又は暖房が選択できたとしても、熱源機１から供給される冷温水の温度が適当でなく所要の空気調和作用が得られないという不具合がある。
【０００７】
このような不具合に対して、室内機信号線１５により熱源機１と室内機７の間で双方向通信を行うことにより、冷温水の温度が不適であることが使用者に表示される。また、熱源機１の空気調和モードの決定方法について、前述の特開平５−６０３６８号公報では、はじめに要求した空気調和モードによって運転するなど自動的に判断する方法等が示されている。また、室内機７側ではその冷温水の温度が不適である場合に、熱動弁９を閉じて送風機１０を消勢して運転停止させるのが一般的である。
【０００８】
そして、前述のように室内機信号線１５により熱源機１と室内機７の間で双方向通信を行う構成では、双方向通信を行うことによって高度の機能を有する装置が得られるものの装置が複雑化し高価であり、また通信面においてアドレス管理などのために室内機７の増設に煩雑な手数が掛かることになる。また、業務用の空気調和装置等であって規模が大きい場合には、運転管理の面や熱源機１の動作特性のために、冷温水の温度の応答が遅くなることから双方向通信採用により使用者の操作性の向上が図られている。
【０００９】
しかし、個人住宅用等の空気調和装置であって小規模のときには、装置が複雑化し高価で、また通信面においてアドレス管理などのために室内機７の増設に煩雑な手数が掛かるという問題点があった。
また、室内機７側で空気調和モードを選択せず、熱源機１側で一方的に空気調和モードを決定する単純な空気調和装置がある。しかし、このような単純な空気調和装置では、室内機７側で低温の冷温水を除湿モードや冷房モード等に用いたり、高温の冷温水を再熱除湿に用いたりする等、多種の空気調和モードを室内機７側で選択できるようにする室内機７側の機能高度化には適さないという問題点があった。
【００１０】
この発明は、かかる問題点を解消するためになされたものであり、簡易な構成であって空気調和室数の変化に容易に対応でき、室内機側から空気調和モードが選択できる多室空気調和装置を得ることを目的とする。
【００１１】
【課題を解決するための手段】
この発明に係る多室空気調和装置においては、冷温水を生成して供給する熱源機と、この熱源機の生成する冷温水の水温を設定する熱源機操作器と、複数の部屋のそれぞれに設置されて熱源機と配管接続され供給される冷温水により空気調和動作する複数台の室内機と、室内機にそれぞれ配置されて少なくとも冷房及び暖房の空気調和モードが選択可能に構成され、操作されて熱源機に対して冷温水の供給を要求する室内機操作器と、室内機にそれぞれ配置されて供給される冷温水の温度を検出する温度検出器と、室内機にそれぞれ配置されて選択された空気調和モードに基づいて熱源機に対して冷温水供給の要求有無を伝達し、温度検出器の検出値が選択された空気調和モードに適しているかを判断して制御動作する室内機制御器と、熱源機に対し、室内機制御器からの冷温水供給の要求により冷温水供給を制御し、かつ熱源機の生成する冷温水温度が熱源機操作器によって設定された水温となるように熱源機の出力を制御する熱源機制御器とが設けられる。
【００１２】
また、この発明に係る多室空気調和装置においては、供給された冷温水の温度が所要の低温よりも高温であるとき、冷温水の温度が所要の高温よりも低温であるときに室内機の送風機の出力を低下させる機能を有する室内機制御器が設けられる。
【００１３】
【発明の実施の形態】
実施の形態１．
図１〜図５は、この発明の実施の形態の一例を示す図で、図１は装置の構成を概念的に示す空気調和回路図、図２は図１の装置の信号回路図、図３は図２の信号回路の機器配置を示す図、図４は図１の熱源機の制御動作を説明するフローチャート、図５は図１の室内機の冷温水の温度の判別動作を説明するフローチャートである。図において、１は熱源機で、熱源機制御器２、熱源機制御器２により制御される加熱・冷却装置３、加熱・冷却装置３に対向して配置された熱交換器４及び熱交換器４に接続されたポンプ５によって構成されている。
【００１４】
６は熱源機制御器２に接続されたリモートコントローラからなる熱源機操作器、７は複数の部屋のそれぞれに設置されたファンコイルユニットからなる室内機で、熱交換器８、熱交換器８に接続された熱動弁９、熱交換器８に対向して配置された送風機１０及び熱動弁９と送風機１０に接続された室内機制御器１１によって構成されている。１２は室内機制御器１１に接続されたリモートコントローラからなる室内機操作器である。
【００１５】
１３は熱源機１のポンプ５とそれぞれの室内機７の熱動弁９を並列に接続する往管路、１４は熱源機１の熱交換器４とそれぞれの室内機７の熱交換器８を並列に接続する帰管路、１５は熱源機１と室内機７の間に配線された室内機信号線、１６は熱源機１と熱源機操作器６の間に配線された熱源機信号線、１７は熱交換器８と熱動弁９の間に設けられた温度検出器である。
【００１６】
上記のように構成された多室空気調和装置において、今、室内機７で冷房運転を開始したとすると、その空気調和負荷に対して図５におけるステップ２０１により冷水が必要と判断すればステップ２０２へ進み、冷水が必要と判断しなければステップ２０９へ進んで冷温水の供給を要求せずステップ２０１へ戻る。そして、ステップ２０２により冷温水の供給を要求する。
【００１７】
なお、この冷温水供給要求は室内機信号線１５を介して熱源機１に指令される。この冷温水供給要求信号は室内機７から熱源機１への一方向のみであり、熱源機１からの応答は不要である。そして、熱源機１は図４におけるステップ１０１において室内機７からの冷温水供給要求があればステップ１０２へ進み、ポンプ５が付勢される。そして、ステップ１０３へ進んで空気調和モードに対応して熱源機操作器６により決められた冷温水の温度になるように、熱源機制御器２により加熱・冷却装置３が制御される。
【００１８】
また、ステップ１０１で冷温水供給要求がなければステップ１０４へ進み、ポンプ５が消勢されてステップ１０５へ進んで熱源機制御器２が消勢されたままとなる。なお、室内機７へ供給される冷温水の温度は熱源機操作器６により決定される。
【００１９】
次いで、図５のステップ２０２からステップ２０３へ進んで温度検出器１７により供給された冷温水の温度を検出して、ステップ２０４へ進み冷温水の温度が冷房に適した低温であればステップ２０５へ進んで空気調和動作正常の判定を行う。また、ステップ２０４で冷温水の温度が冷房に適しない場合はステップ２０６へ進む。そして、ステップ２０６において所定時間が経過するとステップ２０７へ進んで、冷温水の温度の不適が決定されステップ２０８へ進み、空気調和動作異常の判定を行う。
【００２０】
このように、熱源機操作器６により冷温水の温度を設定している場合には、室内機７側において冷温水の温度を検出することにより空気調和モードにおける冷房作用の不適を判定して空気調和動作異常を報知することができる。また、室内機７と熱源機１との信号形態としては、一方向の信号伝達であるので図３に示すように室内機７側に接点を設けた単純で安価な構成とすることができる。さらに、室内機７数の制約がなく室内機７数の増減に容易に対応することができる。
【００２１】
また、熱源機操作器６により冷温水の温度を設定しているので、仮に室内機７側で空気調和動作異常が判定された場合でも、熱源機操作器６の冷温水の温度設定を確認して再操作することによって判断できる。このため、操作要領を使用者にとって簡単でわかり易くすることができる。
【００２２】
以上説明したように、室内機７と熱源機１との信号形態を双方向にすることなく、室内機７側で冷房、暖房等の空気調和モードを選択することができる。このような作用と共に、冷温水によって冷房、暖房等の空気調和作用が得られ、しかも簡易な構成であって安価に製作でき、室内機７数の増減に容易に対応することができる多室空気調和装置を得ることができる。
【００２３】
なお、図１〜図５の実施の形態では、室内機７の熱交換器８と熱動弁９の間に設けられた温度検出器１７によって供給された冷温水の温度を検出している。しかし、往管路１３における配管温度を検出すること等、供給される冷温水の温度を適宜な位置で検出することによっても、前述の図１〜図５の実施の形態と同様の作用を得ることができる。
【００２４】
実施の形態２．
図６は、この発明の他の実施の形態の一例を示す図で、室内機の送風機の出力状況を示すグラフである。なお、図６の他は前述の図１〜図５の実施の形態と同様に多室空気調和装置が構成されている。図６において、室内機７の送風機１０の冷房動作時の上限を示し、例えば室内機７で低温の冷温水を要求している場合に、供給される冷温水の温度が高いときには、送風機１０による冷房動作のための送風を停止する。そして、供給される冷温水の温度が低くなるに従って送風機１０による送風量の上限を多くするように制御される。
【００２５】
すなわち、送風機１０による送風量の多寡は、その送風機１０に対応した室内機７における冷却量に比例し、また熱源機１自体の冷却負荷にも比例することになる。このように、室内機７側において供給される冷温水の温度に応じそれの空気調和能力、すなわち熱源機１の負荷を制御する。これにより、熱源機１による冷温水の温度低下を促進することができ、前述の冷温水の温度不適を早期に判定でき、また空気調和動作も早期に実施できる。
【００２６】
これによって、早期に効率の良い空気調和作用が得られ室内機７が設けられた部屋の快適性を効率的に向上することができる。なお、以上は冷房動作のための送風の制御について説明したが、暖房動作時についても冷房動作時に準じた制御を行うことによって、冷房動作時と同様の作用を得ることができる。
【００２７】
【発明の効果】
この発明は以上説明したように、冷温水を生成して供給する熱源機と、この熱源機の生成する冷温水の水温を設定する熱源機操作器と、複数の部屋のそれぞれに設置されて熱源機と配管接続され供給される冷温水により空気調和動作する複数台の室内機と、室内機にそれぞれ配置されて少なくとも冷房及び暖房の空気調和モードが選択可能に構成され、操作されて熱源機に対して冷温水の供給を要求する室内機操作器と、室内機にそれぞれ配置されて供給される冷温水の温度を検出する温度検出器と、室内機にそれぞれ配置されて選択された空気調和モードに基づいて熱源機に対して冷温水供給の要求有無を伝達し、温度検出器の検出値が選択された空気調和モードに適しているかを判断して制御動作する室内機制御器と、熱源機に対し、室内機制御器からの冷温水供給の要求により冷温水供給を制御し、かつ熱源機の生成する冷温水温度が熱源機操作器によって設定された水温となるように熱源機の出力を制御する熱源機制御器とを設けたものである。
【００２８】
これによって、室内機と熱源機との信号形態を双方向にすることなく、室内機側で室内機操作器により冷房、暖房等の空気調和モードを選択することができ、また冷温水によって冷房、暖房等の空気調和作用が得られる。したがって、簡易な構成であって製作費を低減し、また室内機数の増減に伴う対応を容易化する効果がある。
【００２９】
また、この発明に係る多室空気調和装置においては、供給された冷温水の温度が所要の低温よりも高温であるとき、冷温水の温度が所要の高温よりも低温であるときに室内機の送風機の出力を低下させる機能を有する室内機制御器を設けたものである。
【００３０】
これによって、室内機と熱源機との信号形態を双方向にすることなく、室内機側で室内機操作器により冷房、暖房等の空気調和モードを選択することができ、冷温水によって冷房、暖房等の空気調和作用が得られる。したがって、簡易な構成であって製作費を低減し、また室内機数の増減に伴う対応を容易化する効果がある。
また、冷温水の温度が所要の低温よりも高温であるとき、冷温水の温度が所要の高温よりも低温であるときに室内機の送風機の出力が低下するので、熱源機の無用な負荷が抑制される。これにより、早期に効率の良い空気調和作用が得られ室内機が設けられた部屋を快適性向上を促進する効果がある。
【図面の簡単な説明】
【図１】この発明の実施の形態１を示す図で、装置の構成を概念的に示す空気調和回路図。
【図２】図１の装置の信号回路図。
【図３】図２の信号回路の機器配置を示す図。
【図４】図１の熱源機の制御動作を説明するフローチャート。
【図５】図１の室内機における冷温水の温度の判別動作を説明するフローチャート。
【図６】この発明の実施の形態２を示す図で、室内機の送風機の出力状況を示すグラフ。
【図７】従来の多室空気調和装置を示す図で、装置の構成を概念的に示す空気調和回路図。
【図８】図７の装置の信号回路図。
【符号の説明】
１  熱源機、２  熱源機制御器、６  熱源機操作器、７  室内機、１０  送風機、１１  室内機制御器、１２  室内機操作器。
【図１】
0003549391.tif 000002
【図２】
0003549391.tif 000003
【図３】
0003549391.tif 000004
【図４】
0003549391.tif 000005
【図５】
0003549391.tif 000006
【図６】
0003549391.tif 000007
【図７】
0003549391.tif 000008
【図８】
0003549391.tif 000009